(57)【特許請求の範囲】
【請求項１】
テレビジョン放送信号に多重されているデータ放送用のデータを受信するテレビ受信機能を備えた携帯端末装置であって、
前記テレビ受信機能により受信したテレビジョン放送信号から映像データとデータ放送用のデータとを抽出する抽出手段と、
前記抽出手段により抽出された映像データを３Ｄ表示させるか２Ｄ表示させるかの切り替えを指示する切替指示手段と、
縦横比が異なる表示部の向きが重力方向に対して縦向きか横向きかを検出する検出手段と、
前記切替指示手段により２Ｄ表示への切り替えが指示された際に、前記抽出手段により抽出された映像データとデータ放送用のデータとを、前記検出手段により検出された前記表示部の向きに応じて、縦画面サイズ又は横画面サイズのいずれかで表示させる一方、前記切替指示手段により３Ｄ表示への切り替えが指示された際に、前記抽出手段により抽出されたデータ放送用のデータの表示を抑制すると共に、前記抽出手段により抽出された映像データを前記横画面サイズで表示させる表示制御手段と、
を備えたことを特徴とする携帯端末装置。
【請求項２】
前記データ放送用のデータを表示させるか否かを示すデータ放送の表示設定のオン、オフを任意に設定するデータ放送の表示設定手段を更に備え、
前記表示制御手段は、前記データ放送の表示設定手段により前記データ放送用のデータを表示させるオン設定されている場合には、それをオフ設定に切り替えることによりデータ放送用のデータの表示を抑制する、
ようにしたことを特徴とする請求項１記載の携帯端末装置。
【請求項３】
テレビジョン放送信号に多重されている字幕データを受信するテレビ受信機能を備えた携帯端末装置であって、
前記テレビ受信機能により受信したテレビジョン放送信号から映像データと字幕データとを抽出する抽出手段と、
前記抽出手段により抽出された映像データを３Ｄ表示させるか２Ｄ表示させるかの切り替えを指示する切替指示手段と、
縦横比が異なる表示部の向きが重力方向に対して縦向きか横向きかを検出する検出手段と、
前記切替指示手段により２Ｄ表示への切り替えが指示された際に、前記抽出手段により抽出された映像データと字幕データとを、前記検出手段により検出された前記表示部の向きに応じて、縦画面サイズ又は横画面サイズのいずれかで表示させる一方、前記切替指示手段により３Ｄ表示への切り替えが指示された際に、前記抽出手段により抽出された字幕データの表示を抑制すると共に、前記抽出手段により抽出された映像データを前記横画面サイズで表示させる表示制御手段と、
を備えたことを特徴とする携帯端末装置。
【請求項４】
前記字幕データを表示させるか否かを示す字幕の表示設定のオン、オフを任意に設定する字幕の表示設定手段を更に備え、
前記表示制御手段は、前記字幕の表示設定手段により前記字幕データを表示させるオン設定されている場合には、それをオフ設定に切り替えることにより字幕データの表示を抑制する、
ようにしたことを特徴とする請求項３記載の携帯端末装置。
【請求項５】
コンピュータに対して、
テレビジョン放送信号に多重されているデータ放送用のデータを受信する機能と、
前記受信したテレビジョン放送信号から映像データとデータ放送用のデータとを抽出する機能と、
前記抽出された映像データを３Ｄ表示させるか２Ｄ表示させるかの切り替えを指示する機能と、
縦横比が異なる表示部の向きが重力方向に対して縦向きか横向きかを検出する機能と、
前記２Ｄ表示への切り替えが指示された際に、前記映像データと前記データ放送用のデータとを、前記検出された前記表示部の向きに応じて、縦画面サイズ又は横画面サイズのいずれかで表示させる一方、前記３Ｄ表示への切り替えが指示された際に、前記抽出されたデータ放送用のデータの表示を抑制すると共に、前記検出された前記表示部の向きに関係なく、前記抽出された映像データを前記横画面サイズで表示させる機能と、
を実現させるためのプログラム。
【請求項６】
コンピュータに対して、
テレビジョン放送信号に多重されている字幕データを受信する機能と、
前記受信したテレビジョン放送信号から映像データと字幕データとを抽出する機能と、
前記抽出された映像データを３Ｄ表示させるか２Ｄ表示させるかの切り替えを指示する機能と、
縦横比が異なる表示部の向きが重力方向に対して縦向きか横向きかを検出する機能と、
前記２Ｄ表示への切り替えが指示された際に、前記映像データと前記字幕データとを、前記検出された前記表示部の向きに応じて、縦画面サイズ又は横画面サイズのいずれかで表示させる一方、前記３Ｄ表示への切り替えが指示された際に、前記抽出された字幕データの表示を抑制すると共に、前記検出された前記表示部の向きに関係なく、前記抽出された映像データを前記横画面サイズで表示させる機能と、
を実現させるためのプログラム。
【発明の詳細な説明】
【技術分野】
【０００１】
本発明は、テレビジョン放送信号に多重されたデータ放送用やデータや字幕データを受信するテレビ受信機能を備えた携帯端末装置及びプログラムに関する。
【背景技術】
【０００２】
従来、平面状の表示部に画像（静止画、動画）などの画像を３Ｄ（３次元）表示することにより使用者（視認者）に立体視させるようにした技術としては、各種の技術があり、例えば、２次元（２Ｄ）画像の中のオブジェクトを立体的に見せるような視覚効果を施すようにした技術がある。なお、ポリゴンを利用した技術は、この技術の一例である。また、視認者の右目と左目の視差を利用した技術もある。すなわち、互いに少しずらした右目用の画像と左目用の画像を用意し、それら２つの画像を同時に表示させた際に、右目用の画像は右目で見えて左目では見えないように、左目用の画像は左目で見えて右目では見えないようにするために、光の経路を遮断する電子式の視差バリア（スイッチング液晶パネル）を適切な位置に配置することによって画像を立体に見せるようにした技術である。
このような上述のような視差バリアを利用する技術として、従来では、例えば、テレビ放送の映像データを３Ｄ表示するようにしたテレビ機能を備えた携帯電話機が開発されている（特許文献１参照）。
【先行技術文献】
【特許文献】
【０００３】
【特許文献１】特開２０１０−１６４６０８号公報
【発明の概要】
【発明が解決しようとする課題】
【０００４】
ところで、テレビ放送の映像データが２Ｄ表示されている状態において、お気に入りの映像が映ったタイミングで２Ｄ表示から３Ｄ表示に一時的に切り替えることで、ユーザの好みに応じて臨場感や迫力感を持ったテレビ映像を楽しむことができるようになる。
しかしながら、携帯電話のような端末画面にあっては、その画面サイズが大型化されたとしても、テレビ受像機のような大型テレビ画面に比べて臨場感や迫力感にはおのずと限界があり、しかも、テレビジョン放送信号に多重されたデータ放送用やデータや字幕データの３Ｄ表示により、テレビ映像自身が目立たなくなったり、画面全体が見づらくなったりして、臨場感や迫力感を損なう原因となっていた。
【０００５】
本発明の課題は、テレビ放送の映像表示を２Ｄから３Ｄに切り替えたとしても、テレビ放送の映像を可能な限り効果的に３Ｄ表示できるようにすることである。
【課題を解決するための手段】
【０００６】
上述した課題を解決するために本発明の一つの態様は、
テレビジョン放送信号に多重されているデータ放送用のデータを受信するテレビ受信機能を備えた携帯端末装置であって、
前記テレビ受信機能により受信したテレビジョン放送信号から映像データとデータ放送用のデータとを抽出する抽出手段と、
前記抽出手段により抽出された映像データを３Ｄ表示させるか２Ｄ表示させるかの切り替えを指示する切替指示手段と、
縦横比が異なる表示部の向きが重力方向に対して縦向きか横向きかを検出する検出手段と、
前記切替指示手段により２Ｄ表示への切り替えが指示された際に、前記抽出手段により抽出された映像データとデータ放送用のデータとを、前記検出手段により検出された前記表示部の向きに応じて、縦画面サイズ又は横画面サイズのいずれかで表示させる一方、前記切替指示手段により３Ｄ表示への切り替えが指示された際に、前記抽出手段により抽出されたデータ放送用のデータの表示を抑制すると共に、前記抽出手段により抽出された映像データを前記横画面サイズで表示させる表示制御手段と、
を備えたことを特徴とする携帯端末装置。
【０００７】
上述した課題を解決するために本発明の他の態様は、
コンピュータに対して、
テレビジョン放送信号に多重されている字幕データを受信する機能と、
前記受信したテレビジョン放送信号から映像データと字幕データとを抽出する機能と、
前記抽出された映像データを３Ｄ表示させるか２Ｄ表示させるかの切り替えを指示する機能と、
縦横比が異なる表示部の向きが重力方向に対して縦向きか横向きかを検出する機能と、
前記２Ｄ表示への切り替えが指示された際に、前記映像データと前記字幕データとを、前記検出された前記表示部の向きに応じて、縦画面サイズ又は横画面サイズのいずれかで表示させる一方、前記３Ｄ表示への切り替えが指示された際に、前記抽出された字幕データの表示を抑制すると共に、前記検出された前記表示部の向きに関係なく、前記抽出された映像データを前記横画面サイズで表示させる機能と、
を実現させるためのプログラム。
【発明の効果】
【０００８】
本発明によれば、テレビ放送の映像表示を２Ｄから３Ｄに切り替えたとしても、データ放送用のデータにより臨場感や迫力感を損なうこともなく、テレビ映像を目立たせることができ、テレビ放送の映像を可能な限り効果的に３Ｄ表示することが可能となる。
【図面の簡単な説明】
【０００９】
【図１】携帯端末装置として適用したテレビ放送受信機能を備えた携帯電話機が利用可能な通信ネットワークシステムを示したブロック図。
【図２】携帯電話機１の基本的な構成要素を示したブロック図。
【図３】（１）は、表示部１７の画面の向きが縦向き場合の縦画面、（２）は、横向きの場合の横画面を示した図。
【図４】表示制御情報記憶部Ｍ３を説明するための図。
【図５】テレビ視聴の開始が指示された際に実行開始されるフローチャート。
【発明を実施するための形態】
【００１０】
以下、本発明の実施の形態について、図面を参照して詳細に説明する。
図１〜図５を参照して本発明の実施形態を説明する。
この実施形態は、携帯端末装置としてテレビ放送受信機能を備えた携帯電話機に適用した場合を例示したもので、図１は、この携帯電話機が利用可能な通信ネットワークシステムを示したブロック図である。
携帯電話機１には、通話機能、電子メール機能、インターネット接続機能（Ｗｅｂアクセス機能）のほか、デジタルテレビ放送（例えば、いわゆるワンセグ地上デジタルテレビ放送）を受信可能なテレビ放送受信機能、３Ｄ表示機能などが備えられている。この３Ｄ表示機能は、左右の目の視差を利用した視差バリア方式によって、テレビ映像を３Ｄ表示させるようにしている。
【００１１】
携帯電話機１は、最寄りの基地局２Ａから無線通信網２に接続されると、この無線通信網２を介して他の携帯電話機との間で通話可能な状態となり、また、携帯電話機１は、無線通信網２を介してインターネット３に接続されると、Ｗｅｂサイトをアクセスして閲覧可能となり、また、携帯電話機１は、テレビ局４から送信アンテナ５を介して発信された地上波デジタル放送を受信して視聴可能となる。なお、テレビ放送は、インターネットラジオのようにインターネット３を介して情報配信装置６からデジタル放送をダウンロード受信することもできる。
【００１２】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリなどを有している。この記憶部１３には、図５に示した動作手順に応じて本実施形態を実現するためのプログラムや各種のアプリケーションなどが格納されているほか、それに必要とする情報などが記憶されているプログラム記憶部Ｍ１と、フラグ情報、画面情報など、携帯電話機１が動作するために必要な各種の情報を一時的に記憶するワーク領域としての各種情報一時記憶部Ｍ２と、後述する表示制御情報記憶部Ｍ３などが設けられている。なお、記憶部１３は、例えば、ＳＤカード、ＩＣカードなど、着脱自在な可搬型メモリ（記録メディア）を含む構成であってもよく、図示しない所定の外部サーバ上の記憶装置を含むものであってもよい。
【００１３】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナＡＮ１から発信出力させる。
【００１４】
テレビ放送受信部１６は、通信端末装置向けの地上波デジタルテレビ放送のほか、データ放送用のデータ、字幕データ、電子番組表（ＥＰＧ）などの番組情報も含めて受信可能となっている。このテレビ放送受信部１６は、アンテナＡＮ２からの放送信号を抽出する受信部（アナログ回路部）と、受信した放送信号をＯＦＤＭ（直交周波数分割多重）復調したり、多重化されている放送信号から映像、音声、データ放送用のデータ、字幕データに分離抽出して復号化したり、圧縮データの解凍などを行うデジタル回路部を有している。表示部１７は、高精細液晶を使用し、テレビ映像などの表示情報を表示させるもので、この表示部１７の表面には、視差バリアを生成するための液晶の層が設けられている。表示部１７は、縦横比（例えば、横６：縦４）の異なる画面を有し、ＣＰＵ１１は、表示情報を縦画面で表示させるか横画面で表示させるかの制御を行うようにしている。
【００１５】
２Ｄ／３Ｄ変換処理部１８は、テレビ放送受信部１６により受信した２Ｄコンテンツ（テレビ放送番組）を３Ｄ用の右目用のコンテンツと左目用のコンテンツに変換するもので、この３Ｄ変換処理部１８によって変換されたコンテンツは、表示部１７に３Ｄ表示される。視差バリア制御部１９は、３Ｄ表示時において、３Ｄ変換処理部１８によって生成された右目用の表示情報と左目用の表示情報が表示部１７に同時に表示されている状態において、正しく３Ｄ表示が見えるように視差バリアを表示部１７の表層に生成するものである。
【００１６】
操作部２０は、ダイヤル入力、文字入力、コマンド入力などを入力するもので、中央制御部１１は、この操作部２０からの入力操作信号に応じた処理を実行する。加速度センサ２１は、表示部１７の画面の向きを検出するもので、例えば、３軸タイプの加速度センサにより構成され、図３に示すように重力方向に対する表示部１７の画面の向きが縦向き（図３（１）に示すような縦画面）であるかを検出したり、横向き（図３（２）に示すような横画面）であるかを検出したりする。中央制御部１１は、加速度センサ２１により検出された画面の向きに応じてテレビ映像の表示サイズ（縦画面対応サイズ／横画面対応サイズ）を変更する表示サイズ切替機能を制御するようにしている。この場合、表示部１７に放送画面を表示させる場合、この表示サイズ切替機能は、表示部１７の向きが図３（１）に示すように縦向きであれば、テレビ画面（放送画面）の大きさは、表示部１７の一部分の領域サイズ（縦画面対応サイズ）となるが、図３（２）に示す横向きであれば、表示部１７の全領域サイズ（横画面対応サイズ）となる。
【００１７】
図４は、表示制御情報記憶部Ｍ３を説明するための図である。
表示制御情報記憶部Ｍ３は、表示制御に関する各種の情報を記憶するもので、「項目」、「設定フラグ」を有する構成となっている。「項目」は、表示制御情報の種類を示し、“２Ｄ／３Ｄ表示モード切替機能”、“データ放送用データの表示オン／オフ機能”、“字幕データの表示オン／オフ機能”、“表示サイズ切替機能”、…を有している。この「項目」に対応する「設定フラグ」は、対応する機能の状態を示したもので、ユーザ操作により任意に設定可能となっている。
【００１８】
“２Ｄ／３Ｄ表示モード切替機能”に対応する「設定フラグ」は、それが“１”であれば、テレビ映像を２Ｄ表示すべきことを示す２Ｄ表示モードに設定し、また、その「設定フラグ」が“０”であれば、テレビ映像を３Ｄ表示すべきことを示す３Ｄ表示モードに設定することを示している。“データ放送用データの表示オン／オフ機能”に対応する「設定フラグ」は、それが“１”であれば、テレビジョン放送信号に多重されているデータ放送用のデータをテレビ映像と共に表示すべきことを示すデータ放送オン状態に設定し、また、その「設定フラグ」が“０”であれば、データ放送用のデータを表示しないことを示すデータ放送オフ状態に設定することを示している。
【００１９】
“字幕データの表示オン／オフ機能”に対応する「設定フラグ」は、それが“１”であれば、テレビジョン放送信号に多重されている字幕データをテレビ映像と共に表示すべきことを示す字幕オン状態に設定し、また、その「設定フラグ」が“０”であれば、字幕データを表示しないことを示す字幕オフ状態に設定することを示している。“表示サイズ切替機能”に対応する「設定フラグ」は、それが“１”であれば、加速度センサ２１により検出された画面の向きに応じてテレビ映像などの表示情報の表示サイズを変更することを示す表示サイズ切替機能オンに設定し、また、その「設定フラグ」が“０”であれば、表示サイズ切替機能オフに設定することを示している。なお、表示サイズ切替機能が“オフ”の状態に設定されると、テレビ映像などの表示情報は、加速度センサ２１により検出された画面の向きに関わらず、図３（２）に示す横画面対応サイズで表示される。
【００２０】
次に、本実施形態における携帯電話機１の動作概念を図５に示すフローチャートを参照して説明する。ここで、このフローチャートに記述されている各機能は、読み取り可能なプログラムコードの形態で格納されており、このプログラムコードにしたがった動作が逐次実行される。
図５は、テレビ視聴の開始が指示された際に実行開始されるフローチャートである。すなわち、メニュー画面の中からテレビ起動のメニュー項目が選択された際、又は予め設定した視聴時刻に達した際に、テレビ視聴の開始が指示されたものとして図５のフローに従った動作を実行開始する。
先ず、中央制御部１１は、テレビ放送受信部１６を起動させてテレビジョン放送信号を受信する動作を開始した後（ステップＳ１）、表示制御情報記憶部Ｍ３の“２Ｄ／３Ｄ表示モード”を参照して、それに対する「設定フラグ」は“０”か、つまり、“３Ｄ表示モード”が選択されているかを調べる（ステップＳ２）。
【００２１】
いま、“２Ｄ／３Ｄ表示モード切替機能”に対する「設定フラグ」が“１”、つまり、２Ｄ表示モードが選択されている場合には（ステップＳ２でＮＯ）、ステップＳ１１に移って３Ｄ表示モードから２Ｄ表示モードへの切替直後であるかを調べるが、切替直後でなければ（ステップＳ１１でＮＯ）、受信したテレビ番組の内容を表示制御情報記憶部Ｍ３の内容に従って表示部１７に２Ｄ表示させる（ステップＳ１３）。いま、図４に示すように、表示制御情報記憶部Ｍ３内の“データ放送用データの表示オン／オフ機能”、“字幕データの表示オン／オフ機能”、“表示サイズ切替機能”に対応する「設定フラグ」が全て“１”であれば、データ放送用のデータ、字幕データをテレビ映像と共に２Ｄ表示させるほか、加速度センサ２１により検出された画面の向きに応じて、縦画面対応サイズ（図３（１）参照）又は横画面対応サイズ（図３（２）参照）で２Ｄ表示させる。
【００２２】
そして、チャンネル切替操作が行われたかを調べたり（ステップＳ１４）、テレビ視聴の終了かを調べたりする（ステップＳ１６）。ここで、チャンネル切替操作が行われたときには（ステップＳ１４でＹＥＳ）、チャンネル切替処理を行い（ステップＳ１５）、テレビ視聴の終了を指示するユーザ操作が行われたり、視聴対象の番組の終了時刻に達したことを検出したりしたときには（ステップＳ１６でＹＥＳ）、図５のフローの終了となる。また、切替操作及び終了操作が行われなければ（ステップＳ１４及びＳ１６でＮＯ）、“２Ｄ／３Ｄ表示モード切替機能”を判別する上述のステップＳ１４に戻り、以下、上述の動作を繰り返す。
【００２３】
いま、“２Ｄ／３Ｄ表示モード切替機能”に対応する「設定フラグ」が“０”、つまり、３Ｄ表示モードが選択されている場合又は“２Ｄ表示モード”から“３Ｄ表示モード”に切り替えられたときには（ステップＳ２でＹＥＳ）、２Ｄ／３Ｄ変換処理部１８を動作させてテレビ映像を３Ｄ映像（３Ｄコンテンツ）として右目用のコンテンツと左目用のコンテンツに変換させる（ステップＳ３）。そして、表示制御情報記憶部Ｍ３を参照して、“データ放送用データの表示オン／オフ機能”に対応する「設定フラグ」が“１”か、つまり、データ放送用のデータをテレビ映像と共に表示すべきことを示すデータ放送オン状態であるかを調べ（ステップＳ４）、データ放送オン状態であれば（ステップＳ４でＹＥＳ）、その「設定フラグ」を“０”にして、データ放送オフ状態に変更する（ステップＳ５）。
【００２４】
同様に、表示制御情報記憶部Ｍ３を参照して、“字幕データの表示オン／オフ機能”に対応する「設定フラグ」が“１”か、つまり、字幕データをテレビ映像と共に表示すべきことを示す字幕オン状態であるかを調べ（ステップＳ６）、字幕オン状態であれば（ステップＳ６でＹＥＳ）、その「設定フラグ」を“０”にして、字幕オフ状態に変更する（ステップＳ７）。更に、“表示サイズ切替機能”に対応する「設定フラグ」が“１”か、つまり、加速度センサ２１により検出された画面の向きに応じてテレビ映像などの表示情報の表示サイズを変更することを示す表示サイズ切替機能がオン状態であるかを調べ（ステップＳ８）、表示サイズ切替機能がオン状態であれば（ステップＳ８でＹＥＳ）、その「設定フラグ」を“０”にして、表示サイズ切替機能をオフ状態に変更する（ステップＳ９）。
【００２５】
そして、受信したテレビ番組の内容を表示制御情報記憶部Ｍ３の内容に従って表示部１７に３Ｄ表示させる（ステップＳ１０）。この場合、表示制御情報記憶部Ｍ３内の“データ放送用データの表示オン／オフ機能”、“字幕データの表示オン／オフ機能”、“表示サイズ切替機能”に対応する「設定フラグ」が全て“０”となっているので、データ放送用のデータ及び字幕データを非表示としてテレビ映像のみを３Ｄ表示させると共に、加速度センサ２１により検出された画面の向きに関わらず、横画面対応サイズ（図３（２）参照）で３Ｄ表示させる。そして、上述した場合と同様に、チャンネル切替操作が行われたかを調べたり（ステップＳ１４）、テレビ視聴の終了かを調べたりする（ステップＳ１６）。
【００２６】
以上のように、本実施形態においては、２Ｄ表示から３Ｄ表示に切り替えられた際に、テレビの映像データに関するデータ放送用のデータの表示を抑制するようにしたから、テレビ放送の映像表示を２Ｄから３Ｄに切り替えたとしても、データ放送用のデータにより臨場感や迫力感を損なうこともなく、テレビ映像を目立たせることができるなど、テレビ放送の映像を可能な限り効果的に３Ｄ表示することができ、画面サイズに制限のある携帯端末にとって有効なものとなる。
【００２７】
２Ｄ表示から３Ｄ表示に切り替えられた際に、データ放送用のデータの表示設定をオフするようにしたので、切替機能とデータ放送用のデータの表示オン／オフ機能を連動させることができ、操作性が向上する。
【００２８】
２Ｄ表示から３Ｄ表示に切り替えられた際に、データ放送用のデータの表示を抑制すると共に、表示サイズ切替機能を中止して映像データを横画面サイズで表示するようにしたので、３Ｄ表示時には全画面を有効利用した表示に固定することができる。
【００２９】
２Ｄ表示から３Ｄ表示に切り替えられた際に、テレビの映像データに関する字幕データの表示を抑制するようにしたから、テレビ放送の映像表示を２Ｄから３Ｄに切り替えたとしても、字幕データにより臨場感や迫力感を損なうこともなく、テレビ映像を目立たせることができるなど、テレビ放送の映像を可能な限り効果的に３Ｄ表示することができ、画面サイズに制限のある携帯端末にとって有効なものとなる。
【００３０】
２Ｄ表示から３Ｄ表示に切り替えられた際に、字幕データの表示設定をオフするようにしたので、切替機能と字幕データの表示オン／オフ機能を連動させることができ、操作性が向上する。
【００３１】
２Ｄ表示から３Ｄ表示に切り替えられた際に、字幕データの表示を抑制すると共に、表示サイズ切替機能を中止して映像データを横画面サイズで表示するようにしたので、３Ｄ表示時には全画面を有効利用した表示に固定することができる。
【００３２】
なお、上述した実施形態においては、２Ｄ表示から３Ｄ表示に切り替えに応答して、データ放送用のデータや字幕データの表示を抑制する場合に、データ放送用のデータや字幕データを非表示として、映像データのみを表示するようにしたが、データ放送用のデータや字幕データを非表示する場合に限らず、例えは、半透明状態で表示したり、文字サイズを小さくして画面の片隅に表示したり、更には映像表示のタイミングをずらし、後で一括してデータ放送用のデータや字幕データを表示させるようにしてもよい。
【００３３】
上述した実施形態においては、２Ｄ／３Ｄ変換処理部１８を設け、２Ｄコンテンツ（テレビ放送）を３Ｄ用の右目用のコンテンツと左目用のコンテンツに変換するようにしたが、テレビ放送受信部１６が３Ｄ用のコンテンツを受信する場合でも同様に適用可能である。
【００３４】
上述した実施形態においては、携帯端末装置として携帯電話機に適用した場合を示したが、テレビ放送受信機能を備えたデジタルカメラ（コンパクトカメラ）、ＰＤＡ、音楽プレイヤーなどであってもよい。
【００３５】
その他、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００３６】
以下、本発明の諸態様を付記としてまとめて記載する。
（付記１）
テレビジョン放送信号に多重されているデータ放送用のデータを受信するテレビ受信機能を備えた携帯端末装置であって、
前記テレビ受信機能により受信したテレビジョン放送信号から映像データとデータ放送用のデータとを抽出する抽出手段と、
前記抽出手段により抽出された映像データを３Ｄ表示させるか２Ｄ表示させるかの切り替えを指示する切替指示手段と、
前記切替指示手段により３Ｄ表示への切り替えが指示された際に、前記抽出手段により抽出されたデータ放送用のデータの表示を抑制する表示制御手段と、
を備えたことを特徴とする携帯端末装置。
付記１によれば、テレビ放送の映像表示を２Ｄから３Ｄに切り替えたとしても、データ放送用のデータにより臨場感や迫力感を損なうこともなく、テレビ映像を目立たせることができるなど、テレビ放送の映像を可能な限り効果的に３Ｄ表示することができ、画面サイズに制限のある携帯端末にとって有効なものとなる。
（付記２）
前記データ放送用のデータを表示させるか否かを示すデータ放送の表示設定のオン、オフを任意に設定するデータ放送の表示設定手段を更に備え、
前記表示制御手段は、前記データ放送の表示設定手段により前記データ放送用のデータを表示させるオン設定されている場合には、それをオフ設定に切り替えることによりデータ放送用のデータの表示を抑制する、
ようにしたことを特徴とする付記１記載の携帯端末装置。
付記２によれば、テレビ放送の映像表示を２Ｄから３Ｄに切り替える機能とデータ放送用のデータの表示をオン／オフさせる機能を連動させることができ、操作性が向上する。
（付記３）
縦横比が異なる表示部の向きが重力方向に対して縦向きか横向きかを検出する検出手段と、
前記検出手段により縦向きであることが検出されている場合には前記映像データを前記表示部に縦画面サイズで表示させ、横向きであることが検出されている場合には前記映像データを前記表示部に横画面サイズで表示させる表示サイズ切替手段と、
を更に備え、
前記表示制御手段は、前記抽出手段により抽出されたデータ放送用のデータの表示を抑制すると共に、前記表示サイズ切替手段の機能を中止して前記映像データを前記横画面サイズで表示させる、
ようにしたことを特徴とする付記１記載の携帯端末装置。
付記３によれば、表示サイズの切り替える機能を中止して映像データを横画面サイズで表示するようにしたので、３Ｄ表示時には全画面を有効利用した表示に固定することができる。
（付記４）
テレビジョン放送信号に多重されている字幕データを受信するテレビ受信機能を備えた携帯端末装置であって、
前記テレビ受信機能により受信したテレビジョン放送信号から映像データと字幕データとを抽出する抽出手段と、
前記抽出手段により抽出された映像データを３Ｄ表示させるか２Ｄ表示させるかの切り替えを指示する切替指示手段と、
前記切替指示手段により３Ｄ表示への切り替えが指示された際に、前記抽出手段により抽出された字幕データの表示を抑制する表示制御手段と、
を備えたことを特徴とする携帯端末装置。
付記４によれば、テレビ放送の映像表示を２Ｄから３Ｄに切り替えたとしても、字幕データにより臨場感や迫力感を損なうこともなく、テレビ映像を目立たせることができるなど、テレビ放送の映像を可能な限り効果的に３Ｄ表示することができ、画面サイズに制限のある携帯端末にとって有効なものとなる。
（付記５）
前記字幕データを表示させるか否かを示す字幕の表示設定のオン、オフを任意に設定する字幕の表示設定手段を更に備え、
前記表示制御手段は、前記字幕の表示設定手段により前記字幕データを表示させるオン設定されている場合には、それをオフ設定に切り替えることにより字幕データの表示を抑制する、
ようにしたことを特徴とする付記４記載の携帯端末装置。
付記５によれば、テレビ放送の映像表示を２Ｄから３Ｄに切り替える機能と字幕データの表示をオン／オフさせる機能を連動させることができ、操作性が向上する。
（付記６）
縦横比が異なる表示部の向きが重力方向に対して縦向きか横向きかを検出する検出手段と、
前記検出手段により縦向きであることが検出されている場合には前記映像データを前記表示部に縦画面サイズで表示させ、横向きであることが検出されている場合には前記映像データを前記表示部に横画面サイズで表示させる表示サイズ切替手段と、
を更に備え、
前記表示制御手段は、前記抽出手段により抽出された字幕データの表示を抑制すると共に、前記表示サイズ切替手段の機能を中止して前記映像データを前記横画面サイズで表示させる、
ようにしたことを特徴とする付記４記載の携帯端末装置。
付記６によれば、  ２Ｄ表示から３Ｄ表示に切り替えられた際に、字幕データの表示を抑制すると共に、表示サイズ切替機能を中止して映像データを横画面サイズで表示するようにしたので、３Ｄ表示時には全画面を有効利用した表示に固定することができる。
（付記７）
コンピュータに対して、
テレビジョン放送信号に多重されているデータ放送用のデータを受信する機能と、
前記受信したテレビジョン放送信号から映像データとデータ放送用のデータとを抽出する機能と、
前記抽出された映像データを３Ｄ表示させるか２Ｄ表示させるかの切り替えを指示する機能と、
前記３Ｄ表示への切り替えが指示された際に、前記抽出されたデータ放送用のデータの表示を抑制する機能と、
を実現させるためのプログラム。
付記７によれば、付記１の機能をソフトウェア（プログラム）の形で提供することができる。
（付記８）
コンピュータに対して、
テレビジョン放送信号に多重されている字幕データを受信する機能と、
前記受信したテレビジョン放送信号から映像データと字幕データとを抽出する機能と、
前記抽出された映像データを３Ｄ表示させるか２Ｄ表示させるかの切り替えを指示する機能と、
前記３Ｄ表示への切り替えが指示された際に、前記抽出された字幕データの表示を抑制する機能と、
を実現させるためのプログラム。
付記８によれば、付記４の機能をソフトウェア（プログラム）の形で提供することができる。
【符号の説明】
【００３７】
１  携帯電話機
１１  中央制御部
１３  記憶部
１６  テレビ放送受信部
１７  表示部
１８  ２Ｄ／３Ｄ変換処理部
１９  視差バリア制御部
２０  操作部
２１  加速度センサ
Ｍ１  プログラム記憶部
Ｍ２  各種情報一時記憶部
Ｍ３  表示制御情報記憶部
【図１】
0005665121.tif 000002
【図２】
0005665121.tif 000003
【図３】
0005665121.tif 000004
【図４】
0005665121.tif 000005
【図５】
0005665121.tif 000006